(57)【特許請求の範囲】
【請求項１】
柔軟で屈曲自在なシート材で密封状の袋体を長尺状に形成し、該袋体を複数相互に平行となるよう連設一体化してマット本体となし、一つの袋体にその長手方向に沿った相互に平行な二条の凸起部を形成し、各袋体内に選択的に流体を注入・排出して、各袋体を表裏方向で膨大縮小変形させる流体制御装置を備えたマッサージ用マット。
【請求項２】
柔軟で屈曲自在なシート材で密封状の略円柱状でその周壁部が蛇腹状の袋体を形成し、該袋体を複数並設してマット本体となし、一つの袋体に複数の凸起部を相互に平行となるよう形成し、各袋体内に選択的に流体を注入・排出して、各袋体を表裏方向で膨大縮小変形させる流体制御装置を備えたマッサージ用マット。
【請求項３】
複数の袋体の頂部間に板状の押圧体を架設一体化したことを特徴とする請求項２記載のマッサージ用マット。
【請求項４】
前記凸起部は、袋体の外面に設けられた硬質材もしくは、袋体の外面に該袋体と同じシート材でなる中空状凸起を一体に突設し該中空状凸起内に硬質材料を封入して形成したものであることを特徴とする請求項１乃至請求項３記載のマッサージ用マット。
【請求項５】
流体制御装置によって、各袋体の隣り合うものが順次に膨大縮小変形されるようになしたことを特徴とする請求項１乃至４記載のマッサージ用マット。
【請求項６】
袋体内に注入される流体を加熱或いは冷却する温度調整手段を備えたことを特徴とする請求項１乃至４記載のマッサージ用マット。
【発明の詳細な説明】
【０００１】
【発明の属する技術分野】
本発明は、袋体を複数並設してマット本体となし、各袋体内に流体を注入・排出して、各袋体を膨大縮小変形させる流体制御装置を備えたマッサージ用マットに関するものである。
【０００２】
【従来の技術】
従来から、図１７に示す如く、袋体１を複数並設してマット本体Ｍとなし、各袋体１内に流体を注入・排出して、各袋体１を膨大縮小変形させる流体制御装置５を備えたエアーマットは知られている。この場合、流体制御装置５は、空気を送出する圧縮ポンプ５ａと、該圧縮ポンプ５ａに連結される本流管５１と、該本流管５１から各袋体１へと分岐配管される複数の分岐管５２と、各袋体１の入口側及び出口側の同分岐管５２に配設される複数の開閉弁Ｂと、で構成されている。
【０００３】
したがって、流体制御装置５の圧縮ポンプ５ａ及び開閉弁Ｂを動作制御することによって、所望の袋体１を、これに空気を注入して膨大変形させたり、これから空気を排出して縮小変形させたりすることができる。この場合には、各袋体１を身体に沿うような高さ或いは適度な硬さにして、マット本体Ｍの上に心地よく寝ころぶことができる。又、その際に、所望の袋体１を繰り返し膨大縮小変形させて、身体一部をマッサージすることも可能である。
【０００４】
【発明が解決しようとする課題】
しかしながら、上記従来の技術においては、所望の袋体１を繰り返し膨大縮小変形させて、身体の一部をマッサージすることが可能ではあるが、この場合、袋体１は柔軟で伸縮自在なシート材で形成されており、該シート材でなる袋体１の表側外面略全体で身体を押圧してマッサージ作用を得ることになるので、該押圧力が広い面積に分散して充分なマッサージ作用を得ることはできず、局部的にマッサージ作用を得ることができないという問題があった。
【０００５】
本発明は、上記従来の技術における問題を悉く解決するために発明されたもので、その課題は、身体の所望の部位に、充分なマッサージ作用を局部的に得ることができるマッサージ用マットを提供することである。
【０００６】
【課題を解決するための手段】
本発明の請求項１記載のマッサージ用マットは、柔軟で屈曲自在なシート材で密封状の袋体を長尺状に形成し、該袋体を複数相互に平行となるよう連設一体化してマット本体となし、一つの袋体にその長手方向に沿った相互に平行な二条の凸起部を形成し、各袋体内に選択的に流体を注入・排出して、各袋体を表裏方向で膨大縮小変形させる流体制御装置を備えてなる。
【０００７】
したがって、この場合、流体制御装置によって、各袋体を選択的に膨大縮小変形させることができ、その際、袋体は表裏方向で膨大縮小変形され、該袋体の表側の外面に形成された凸起部が、身体の一部分を集中的に強く押圧するので、身体の所望の部位に、充分なマッサージ作用を局部的に得ることができる。
【０００９】
又、特に、袋体が長尺状に形成されて効率的に膨大縮小変形され、しかも、その長手方向に沿った凸起部によって、身体の所望の部位を線的にマッサージすることができる。
【００１０】
本発明の請求項４記載のマッサージ用マットは、凸起部を、袋体の外面に設けられた硬質材もしくは、袋体の外面に該袋体と同じシート材でなる中空状凸起を一体に突設し該中空状凸起内に硬質材料を封入して形成したことを特徴とする。
【００１１】
したがって、硬質材でなる凸起部が、身体の一部分を集中的に強く押圧するので、身体の所望の部位に、充分なマッサージ作用を局部的に得ることができる。もしくは、袋体と一体に形成される中空状凸起内に硬質材料が封入されて凸起部は形成されるので、該凸起部の形成が簡単となる。
【００１２】
本発明の請求項２記載のマッサージ用マットは、柔軟で屈曲自在なシート材で密封状の略円柱状でその周壁部が蛇腹状の袋体を形成し、該袋体を複数並設してマット本体となし、一つの袋体に複数の凸起部を相互に平行となるよう形成し、各袋体内に選択的に流体を注入・排出して、各袋体を表裏方向で膨大縮小変形させる流体制御装置を備えたことを特徴とする。
【００１３】
したがって、この場合は特に、一つの袋体が膨大縮小変形することで、相互に平行な複数の凸起部が身体の所望の部位をまとめて押圧し、線的なマッサージ作用を効率良く得ることができる。
【００１５】
又、周壁部が蛇腹状に形成された袋体は、表裏方向で確実に膨大縮小変形されるので、より充分なマッサージ作用を得ることができる。
【００１６】
本発明の請求項３記載のマッサージ用マットは、上記請求項２記載のマッサージ用マットにおいて、複数の袋体の頂部間に板状の押圧体を架設一体化したことを特徴とする。
【００１７】
したがって、この場合は特に、頂部に板状の押圧体が架設一体化された複数の袋体を、相互間でその膨大縮小変形量を変位させることによって、該押圧体の傾斜度合いは変化調整されるので、これにより、同押圧体が身体の押圧部位面の傾斜に沿った馴染み良いマッサージ作用を得ることができる。
【００１８】
本発明の請求項５記載のマッサージ用マットは、上記請求項１又は２記載のマッサージ用マットにおいて、流体制御装置によって、各袋体の隣り合うものが順次に膨大縮小変形されるようになしたことを特徴とする。
【００１９】
したがって、この場合は特に、流体制御装置によって、各袋体の隣り合うものが順次に膨大縮小変形されるので、該袋体が並設されてなるマット本体の表面側には、同袋体の膨大縮小変形に伴って移動する隆起状波が発生し、該隆起状波により身体の面を広範囲にわたって連続的に押圧する良好なマッサージ作用を得ることができる。特に、線的なマッサージ作用となる場合には、該線と略直交する方向に隆起状波が移動することになるので、より良好なマッサージ作用を得ることができる。
【００２０】
本発明の請求項６記載のマッサージ用マットは、上記請求項１記載のマッサージ用マットにおいて、袋体内に注入される流体を加熱或いは冷却する温度調整手段を備えたことを特徴とする。
【００２１】
したがって、この場合は特に、袋体内に注入される流体を温度調整手段によって加熱或いは冷却することができるので、これにより、温熱或いは冷熱を伴った有効なマッサージ作用を得ることができる。
【００２２】
【発明の実施の形態】
図１〜５は、本発明の一実施形態を示し、該実施形態のマッサージ用マットは、柔軟で屈曲自在なシート材で密封状の袋体１を形成し、該袋体１を複数並設してマット本体２となし、該マット本体２の表側で各袋体１の外面に硬質材でなる凸起部３を形成し、各袋体１内に選択的に流体４を注入・排出して、各袋体１を表裏方向で膨大縮小変形させる流体制御装置５を備えてなる。
【００２３】
該実施形態のマッサージ用マットにおいては、袋体１を長尺状に形成し、該袋体１を複数相互に平行となるよう連設一体化してマット本体２となし、各袋体１にその長手方向に沿った凸起部３を形成している。この場合、一つの袋体１に複数の凸起部３を相互に平行となるよう形成しており、又、図３に示す如く、袋体１の外面に該袋体１と同じシート材でなる中空状凸起６を一体に突設し、該中空状凸起６内に硬質材料７を封入して凸起部３を形成している。更に、流体制御装置５によって、各袋体１の隣り合うものが順次に膨大縮小変形されるようになしてもいる。
【００２４】
袋体１となるシート材は、ゴムのような弾性体ではなく、軟質ではあっても弾性変形をほとんど生じないウレタン樹脂、塩化ビニル樹脂等の材料で厚さが薄く成形されたものであり、該袋体１の膨大縮小変形が、同シート材の伸縮ではなく表裏方向の屈曲による同袋体１の内部スペースの形状変化によって、そのほとんどがなされるものである。又、各袋体１は相互に連設一体化されており、この場合、前記袋体１を形成するシート材が延設され、該延設部分を介して相互に連設されている。
【００２５】
又、一つの袋体１の表側の外面には、その長手方向略全長にわたる中空状凸起６が同じシート材で一体に二条形成されており、両中空状凸起６の内部空間各々にその略全長にわたって硬質材料７が封入されている。該硬質材料７は硬質ウレタン樹脂等で棒形状に形成されたもので、中空状凸起６内に挿入収容される。これによって、図２に示す如く、全体が一体にシート状となったマット本体２が形成される。
【００２６】
流体制御装置５は空気の流れを制御するものであるが、流体として空気以外の気体或いは液体を使用することもできる。該流体制御装置５は、空気を送出する圧縮ポンプ５ａと、該圧縮ポンプ５ａに連結される本流管５１と、該本流管５１の同圧縮ポンプ５ａ近傍に設けられる電磁弁５ｂと、同本流管５１から各袋体１へと分岐配管される複数の分岐管５２と、各分岐管５２に配設される複数の電磁弁５ｃと、該各電磁弁５ｃから排出される空気をまとめて大気中へと案内して放出する排気管５３と、で構成されている。
【００２７】
この場合、各電磁弁５ｂ、５ｃはシングルバルブで、ＯＮ操作することによって連通状態となり、ＯＦＦ操作することによって同連通が遮断された状態となり、該遮断状態で空気を排出するものである。よって、制御操作部（図示せず）で適宜に設定操作し、流体制御装置５の圧縮ポンプ５ａ及び電磁弁５ｂ、５ｃを動作制御することで、所望の袋体１を選択的に、これに空気を注入して膨大変形させたり、これから空気を排出して縮小変形させたりすることができる。
【００２８】
その際、全袋体１から空気を排出させると、図４（ａ）に示す如く、全袋体１が縮小変形して、マット本体２全体はその厚みが薄くなってエアークッション作用の効かない硬い状態で使用されるものとなり、全袋体１に空気を注入充填させると、図４（ｂ）に示す如く、全袋体１が膨大変形して、マット本体２はその厚みが厚くなってエアークッション作用の効いた軟らかい状態で使用されるものとなる。このように、マット本体２を所望の状態にして、その上に心地よく寝ころぶことができる。
【００２９】
更に、図５に示す如く、各袋体１の隣り合うものが同図（ａ）（ｂ）（ｃ）の順に繰り返して膨大縮小変形されるように、前記流体制御装置５によって動作制御することができる。この場合には、袋体１が並設されてなるマット本体２の表面側に、該袋体１の膨大縮小変形に伴って同図矢印方向へ移動する隆起状波が発生し、該隆起状波により身体の面を広範囲にわたって連続的に押圧することができるようになる。特に、この場合は、線的なマッサージ作用となり、該線と略直交する方向に前記隆起状波が移動することになる。
【００３０】
したがって、該実施形態のマッサージ用マットにおいては、流体制御装置５の圧縮ポンプ５ａ及び電磁弁５ｂ、５ｃを動作制御することで、各袋体１を選択的に膨大縮小変形させることができる。しかも、その際、袋体１は表裏方向で膨大縮小変形され、該袋体１の表側の外面に形成された硬質材でなる凸起部３が、身体の一部分を集中的に強く押圧するので、身体の所望の部位に、充分なマッサージ作用を局部的に得ることができる。
【００３１】
又、この場合、袋体１が長尺状に形成されて効率的に膨大縮小変形され、しかも、その長手方向に沿った凸起部３によって、身体の所望の部位を線的にマッサージすることができる。又、袋体１と一体に形成される中空状凸起６内に硬質材料７が封入されて凸起部３は形成されるので、該凸起部３の形成が簡単なものである。又、一つの袋体１が膨大縮小変形することで、相互に平行な二条の凸起部３が身体の所望の部位をまとめて押圧し、線的なマッサージ作用を効率良く得ることができる。
【００３２】
又、該実施形態のマッサージ用マットにおいては、図５に示す如く、流体制御装置５によって、各袋体１の隣り合うものが順次に膨大縮小変形されるので、該袋体１が並設されてなるマット本体２の表面側には、同袋体１の膨大縮小変形に伴って移動する隆起状波が発生し、該隆起状波により身体の面を広範囲にわたって連続的に押圧する良好なマッサージ作用を得ることができる。特に、線的なマッサージ作用であり、該線と略直交する方向に隆起状波が移動することになるので、より良好なマッサージ作用を得ることができる。
【００３３】
図６は、上記実施形態のマッサージ用マットにおけるマット本体２を、縦横方向に複数枚並設してなるマッサージ用マットを示している。この場合、各マット本体２は相互に連設一体化されて単一シート状に形成されているが、各マット本体２を分離させて形成し、各別に敷設して使用するようになすこともできる。このような、マッサージ用マットにおいては、上記実施形態のマッサージ用マットにおける隆起状波の移動方向を、縦横二次元方向に動作制御することができるようになる。なお、それ以外は、上記図１〜５に示した実施形態と同様に構成されており、同上記実施形態におけると同様の作用効果が奏される。
【００３４】
図７は、本発明の更に別の実施形態を示し、該実施形態のマッサージ用マットにおいては、各袋体１の周壁部11を屈曲変形し易くなるよう蛇腹状に形成している。したがって、この場合は特に、周壁部11が蛇腹状に形成された袋体１は、ほとんど表裏方向にのみ確実に膨大縮小変形されるので、より充分なマッサージ作用を得ることができる。
【００３５】
又、実施形態のマッサージ用マットにおいては、シート部材２１上に各袋体１が配置固定されており、その際、同シート部材２１上に突設される凸段部２２上に所定の袋体１が固定されていて、図７（ａ）に示す如く、各袋体１が同じ膨大縮小状態でもその高さが異なるように予めオフセットされている。この場合、各袋体１を身体Ｈのラインに略沿った高さにしてオフセット配置することで、身体Ｈの押圧部位面に各凸起部３が当接し易くなり、図７（ｂ）に示す如く、所望の袋体１の凸起部３による押圧力が身体Ｈの押圧部位面に確実に伝えられて、より有効なマッサージ作用を得ることができる。なお、それ以外は、上記図１〜５に示した実施形態と同様に構成されており、同上記実施形態におけると同様の作用効果が奏される。
【００３６】
図８は、本発明の更に別の実施形態を示し、該実施形態のマッサージ用マットにおいては、袋体１が長尺状ではなく中空の略円柱状に形成されており、その周壁部11が蛇腹状に形成されている。この場合も、周壁部11が蛇腹状に形成された袋体１は、ほとんど表裏方向にのみ確実に膨大縮小変形されるので、より充分なマッサージ作用を得ることができる。
【００３７】
又、実施形態のマッサージ用マットにおいては、各袋体１の凸起部３が身体の所望の部位を点的にマッサージするものであり、シート部材２１上に同各袋体１が縦横方向に並べて配置固定されているので、上記図１〜５に示した実施形態のマッサージ用マットにおける隆起状波の移動方向を、縦横二次元方向に動作制御することができるようになる。なお、それ以外は、上記図１〜５に示した実施形態と同様に構成されており、請求項１に係る作用効果が同上記実施形態におけると同様に奏される。
【００３８】
図９、１０は、本発明の更に別の実施形態を示し、該実施形態のマッサージ用マットにおいては、複数の袋体１の頂部間に板状の押圧体31を架設一体化している。この場合、各袋体１は上記図８に示した実施形態におけると同様のもので、三つの袋体１が円板体23上に周方向で略均等距離となるよう配置固定され、該三つの袋体１の各凸起部３に円板状の押圧体31が設置固定されて、図９に示す如く、押圧ユニットが形成され、該押圧ユニットが、図１０に示す如く、シート部材21上に縦横方向に並べて配置固定されている。
【００３９】
したがって、この場合は、凸起部３と一体化される押圧体３１によって身体の所望の部位が局部的に押圧されるものである。又、その際、特に、円板状の押圧体３１が架設一体化された三つの袋体１を、相互間でその膨大縮小変形量を変位させることによって、該押圧体３１の傾斜度合いを変化調整することができるので、これにより、同押圧体３１が身体の押圧部位面の傾斜に沿った馴染み良いマッサージ作用を得ることができる。なお、それ以外は、上記図８に示した実施形態と同様に構成されており、同上記実施形態におけると同様の作用効果が奏される。
【００４０】
図１１は、本発明の更に別の実施形態を示し、該実施形態のマッサージ用マットは、上記図１〜５に示した実施形態のマッサージ用マットと同様の構成のものにおいて、各分岐管52に配設される複数の電磁弁5cを連結する排気管53の排出側先端部分に吸引ポンプ5dを接続すると共に、同排気管53の吸引ポンプ5dの近傍に電磁弁5bを設けたものである。
【００４１】
この場合、袋体１が縮小変形する際に、電磁弁５ｂを連通状態にして吸引ポンプ５ｄを作動させる制御となすことで、同袋体１内から空気を強制的に素早く排出させることができ、これにより、低圧流体（空気）使用による動作故の欠点である排気速度の遅さが解消され、デバイスとなる同袋体１の縮小動作レスポンスを向上させることができる。なお、それ以外は、上記図１〜５に示した実施形態と同様に構成されており、同上記実施形態におけると同様の作用効果が奏される。
【００４２】
図１２は、本発明の更に別の実施形態を示し、該実施形態のマッサージ用マットは、上記図１〜５に示した実施形態のマッサージ用マットと同様の構成のものにおいて、袋体１内に注入される流体４を加熱するヒータである温度調整手段８を備えたものである。したがって、この場合は特に、袋体１内に注入される流体４を温度調整手段８によって加熱することができるので、これにより、身体の所望の部位を温めながら押圧する温熱を伴った有効なマッサージ作用を得ることができる。
【００４３】
又、該実施形態のマッサージ用マットにおいては、本流管５１の中程に唯一つ温度調整手段８が設けられており、該温度調整手段８によって各袋体１に注入される流体４をまとめて効率良く温度調整することができる。又、温度調整手段８として、袋体１内に注入される流体４を冷却する冷却機を採用した場合には、同流体４を温度調整手段８によって冷却することができるので、これにより、身体の所望の部位を冷しながら押圧する冷熱を伴った有効なマッサージ作用を得ることができる。なお、それ以外は、上記図１〜５に示した実施形態と同様に構成されており、同上記実施形態におけると同様の作用効果が奏される。
【００４４】
図１３も、本発明の更に別の実施形態を示し、該実施形態のマッサージ用マットにおいては、複数の温度調整手段８が各分岐管52に配設されており、この場合には、身体の押圧部位毎での温度調整が可能となる。又、各温度調整手段８は袋体１と電磁弁5cとの間に位置しており、有効必要分の流体４のみを温度調整することができる。なお、それ以外は、上記図１２に示した実施形態と同様に構成されており、同上記実施形態におけると同様の作用効果が奏される。
【００４５】
図１４は、本発明の更に別の実施形態を示し、該実施形態のマッサージ用マットにおいては、マット本体２が身体の一部に巻き付け略筒状にして装着できるよう形成されている。この場合には、身体の所望の部位、例えば、脚Ｌの周囲にマット本体２を簡単に装着して、マッサージ作用を得ることができ、しかも、その際、マッサージ作用をなす押圧力に物理的な逃げを生じることがなく、同押圧力の損失なく確実にマッサージ作用を得ることができる。
【００４６】
又、該実施形態のマッサージ用マットにおいては、長尺状の各袋体１が、略筒状となるマット本体２の筒方向をその長手方向として形成され、同周方向に複数並べて配設されている。したがって、上記図１〜５に示した実施形態のマッサージ用マットにおける隆起状波が周方向に移動することになるので、該隆起状波によって、マット本体２が略筒状にして巻き付けられる身体の部位を周方向で揉むようにマッサージすることができる。なお、それ以外は、上記図１２に示した実施形態と同様に構成されており、同上記実施形態におけると同様の作用効果が奏される。
【００４７】
図１５も、本発明の更に別の実施形態を示し、該実施形態のマッサージ用マットにおいては、長尺状の各袋体１が、略筒状となるマット本体２の周方向をその長手方向として形成され、同筒方向に複数並べて配設されている。したがって、上記図１〜５に示した実施形態のマッサージ用マットにおける隆起状波が筒方向に移動することになるので、該隆起状波によって、マット本体２が略筒状にして巻き付けられる身体の部位を筒方向で揉むようにマッサージすることができる。なお、それ以外は、上記図１４に示した実施形態と同様に構成されており、同上記実施形態におけると同様の作用効果が奏される。
【００４８】
図１６は、本発明の更に別の実施形態を示し、該実施形態のマッサージ用マットにおいても、マット本体２が身体の一部に巻き付け略筒状にして装着できるよう形成され、身体の所望の部位、例えば、脚Ｌの周囲にマット本体２を簡単に装着して、マッサージ作用を得ることができ、しかも、その際、マッサージ作用をなす押圧力に物理的な逃げを生じることがなく、同押圧力の損失なく確実にマッサージ作用を得ることができる。
【００４９】
又、該実施形態のマッサージ用マットにおいては、各袋体１の凸起部３が身体の所望の部位を点的にマッサージするもので、同各袋体１が略筒状となるマット本体２に、その縦横方向に複数並べて配設されている。したがって、上記図８に示した実施形態のマッサージ用マットにおける隆起状波の移動方向を、筒方向及び周方向に動作制御することができるようになり、同隆起状波によって、マット本体２が略筒状にして巻き付けられる身体の部位をいろんな方向で揉むようにマッサージすることができる。なお、それ以外は、上記図８に示した実施形態と同様に構成されており、同上記実施形態におけると同様の作用効果が奏される。
【００５０】
【発明の効果】
上述の如く、本発明の請求項１記載のマッサージ用マットにおいては、各袋体を選択的に膨大縮小変形させる際に、袋体は表裏方向で膨大縮小変形され、該袋体の表側の外面に形成された凸起部が、身体の一部分を集中的に強く押圧して、身体の所望の部位に、充分なマッサージ作用を局部的に得ることができる。
【００５１】
又、特に、長尺状の袋体が効率的に膨大縮小変形され、しかも、その長手方向に沿った凸起部によって、身体の所望の部位を線的にマッサージすることができる。
【００５２】
又、本発明の請求項４記載のマッサージ用マットにおいては、硬質材でなる凸起部が、身体の一部分を集中的に強く押圧して、身体の所望の部位に、充分なマッサージ作用を局部的に得ることができる。もしくは、袋体と一体に形成される中空状凸起内に硬質材料が封入されて、凸起部は簡単に形成される。
【００５３】
又、本発明の請求項２記載のマッサージ用マットにおいては、特に、一つの袋体が膨大縮小変形することで、相互に平行な複数の凸起部が身体の所望の部位をまとめて押圧し、線的なマッサージ作用を効率良く得ることができる。
【００５４】
又、特に、周壁部が蛇腹状に形成された袋体は、表裏方向で確実に膨大縮小変形されて、より充分なマッサージ作用を得ることができる。
【００５５】
又、本発明の請求項３記載のマッサージ用マットにおいては、特に、複数の袋体を相互間でその膨大縮小変形量を変位させることによって、押圧体が身体の押圧部位面の傾斜に沿った馴染み良いマッサージ作用を得ることができる。
【００５６】
又、本発明の請求項５記載のマッサージ用マットにおいては、特に、マット本体の表面側に袋体の膨大縮小変形に伴い移動する隆起状波が発生し、該隆起状波により身体の面を広範囲にわたって連続的に押圧する良好なマッサージ作用を得ることができ、線的なマッサージ作用となる場合に有効である。
【００５７】
又、本発明の請求項６記載のマッサージ用マットにおいては、特に、袋体内に注入される流体を温度調整手段によって加熱或いは冷却することができ、これにより、温熱或いは冷熱を伴った有効なマッサージ作用を得ることができる。
【図面の簡単な説明】
【図１】本発明の一実施形態であるマッサージ用マットを示す概略構成図。
【図２】同マッサージ用マットにおけるマット本体を示す外観斜視図。
【図３】同マッサージ用マットにおける凸起部を示す拡大断面図。
【図４】同マッサージ用マットにおけるマット本体の変形状態を示し、（ａ）（ｂ）各々異なる変形状態での概略断面図。
【図５】同マッサージ用マットにおけるマット本体の変形過程を（ａ）（ｂ）（ｃ）の順で示し、該（ａ）（ｂ）（ｃ）各々異なる変形過程での概略断面図。
【図６】同マッサージ用マットにおけるマット本体を複数並設してなる別のマッサージ用マットを示す外観斜視図。
【図７】本発明の別の実施形態であるマッサージ用マットにおけるマット本体の変形状態を示し、（ａ）（ｂ）各々異なる変形状態での概略断面図。
【図８】本発明の更に別の実施形態であるマッサージ用マットにおけるマット本体を示す概略断面図。
【図９】本発明の更に別の実施形態であるマッサージ用マットを示す要部斜視図。
【図１０】同マッサージ用マットにおけるマット本体を示す外観斜視図。
【図１１】本発明の更に別の実施形態であるマッサージ用マットを示す概略構成図。
【図１２】本発明の更に別の実施形態であるマッサージ用マットを示す概略構成図。
【図１３】本発明の更に別の実施形態であるマッサージ用マットを示す概略構成図。
【図１４】本発明の更に別の実施形態であるマッサージ用マットにおけるマット本体の使用状態を示す概略斜視図。
【図１５】本発明の更に別の実施形態であるマッサージ用マットにおけるマット本体の使用状態を示す概略斜視図。
【図１６】本発明の更に別の実施形態であるマッサージ用マットにおけるマット本体の使用状態を示す概略斜視図。
【図１７】本発明の従来例であるエアーマットを示す概略構成図。
【符号の説明】
１  袋体
２  マット本体
３  凸起部
４  流体
５  流体制御装置
６  中空状凸起
７  硬質材料
８  温度調整手段
１１  周壁部
３１  押圧体
【図１】
0003584761.tif 000002
【図２】
0003584761.tif 000003
【図３】
0003584761.tif 000004
【図４】
0003584761.tif 000005
【図５】
0003584761.tif 000006
【図６】
0003584761.tif 000007
【図７】
0003584761.tif 000008
【図８】
0003584761.tif 000009
【図９】
0003584761.tif 000010
【図１０】
0003584761.tif 000011
【図１１】
0003584761.tif 000012
【図１２】
0003584761.tif 000013
【図１３】
0003584761.tif 000014
【図１４】
0003584761.tif 000015
【図１５】
0003584761.tif 000016
【図１６】
0003584761.tif 000017
【図１７】
0003584761.tif 000018